(57)【特許請求の範囲】
【請求項１】
多数の人物画像に含まれている人物を代表する代表人物画像を，表示画面に表示するように表示装置を制御する代表人物画像表示制御手段，
表示対象とする領域および非表示対象とする領域を上記表示画面に表示するように表示装置を制御する領域表示制御手段，
上記代表人物画像表示制御手段の制御のもとに上記表示画面に表示されている代表人物画像のうち，表示対象とする代表人物画像を，上記表示対象とする領域にドラッグ・アンド・ドロップすることにより表示対象とする代表人物画像を選択し，上記代表人物画像表示制御手段の制御のもとに上記表示画面に表示されている代表人物画像のうち，非表示対象とする代表人物画像を，上記非表示対象とする領域にドラッグ・アンド・ドロップすることにより非表示対象とする代表人物画像を選択する代表人物画像選択手段，
多数の人物画像のうち，上記代表人物画像選択手段によって選択された表示対象とする代表人物画像が代表する人物を含むが，上記代表人物画像選択手段によって選択された非表示対象とする代表人物画像が代表する人物が含まれていない人物画像を，上記表示画面に表示するように表示装置を制御する人物画像表示制御手段，
電子アルバムに含まれる多数の画像貼付領域のうち人物画像を貼り付ける画像貼付領域を選択する画像貼付領域選択手段，
自動モードを設定する自動モード設定手段，
上記自動モード設定手段において自動モードが設定されたことに応じて，上記画像貼付領域選択手段によって選択された画像貼付領域に貼り付ける人物画像を，上記代表人物画像選択手段によって選択された代表人物画像が代表する人物画像の中から決定する人物画像決定手段，
撮像時系列順にしたがって多数の人物画像を多数のグループに分ける撮像時系列グルーピング手段，および
上記撮像時系列グルーピング手段によって分けられた多数のグループを撮像時が古いほど前のページとなるように電子アルバムのページと対応付ける対応付け手段を備え，
上記人物画像決定手段は，
上記画像貼付領域選択手段によって選択された画像貼付領域が存在するページに対応付けられているグループに含まれ，かつ上記代表人物画像選択手段によって選択された代表人物画像が代表する人物画像の中から，上記画像貼付領域選択手段によって選択された画像貼付領域に貼り付ける人物画像を決定するものである，
人物画像表示制御装置。
【請求項２】
人物画像に含まれている人物ごとに多数の人物画像を複数の人物画像グループにグループ分けする第１の人物画像グルーピング手段をさらに備え，
上記人物画像表示制御手段は，
上記第１の人物画像グルーピング手段においてグループ分けされた人物画像グループのうち，上記代表人物画像選択手段によって選択された代表人物画像が代表する人物画像グループに含まれる人物画像を上記表示画面に表示するように表示装置を制御するものである，
請求項１に記載の人物画像表示制御装置。
【請求項３】
上記人物画像指定手段によって指定された人物画像を，上記画像貼付領域選択手段において選択された画像貼付領域に貼り付けて電子アルバムを生成する電子アルバム生成手段，
をさらに備えた請求項１に記載の人物画像表示制御装置。
【請求項４】
上記代表人物画像表示制御手段は，
多数の人物画像に含まれている人物を代表する代表人物画像のサムネイル画像である代表サムネイル人物画像を，表示画面に表示するように表示装置を制御するものであり，
上記代表人物画像選択手段は，
上記代表人物画像表示制御手段の制御のもとに上記表示画面に表示されている代表サムネイル人物画像のうち，表示対象とする代表サムネイル人物画像を，上記表示対象とする領域にドラッグ・アンド・ドロップすることにより表示対象とする代表サムネイル人物画像を選択し，上記代表人物画像表示制御手段の制御のもとに上記表示画面に表示されている代表サムネイル人物画像のうち，非表示対象とする代表サムネイル人物画像を，上記非表示対象とする領域にドラッグ・アンド・ドロップすることにより非表示対象とする代表サムネイル人物画像を選択するものである，
請求項１から３のうち，いずれか一項に記載の人物画像表示制御装置。
【請求項５】
人物画像に含まれている人物ごとに多数の人物画像を複数の人物画像グループにグループ分けする第２の人物画像グルーピング手段，および
上記第２の人物画像グルーピング手段によってグループ分けされた人物画像グループごとに，人物画像グループに含まれる人物画像の代表人物画像を決定する代表人物画像決定手段をさらに備え，
上記代表人物画像表示制御手段は，
上記代表人物画像決定手段によって決定された代表人物画像を上記表示画面に表示するように表示装置を制御するものである，
請求項１から４のうち，いずれか一項に記載の人物画像表示制御装置。
【請求項６】
代表人物画像が表わす人物を含む人物画像の数を算出する人物画像数算出手段をさらに備え，
上記代表人物画像表示制御手段は，
上記人物画像数算出手段によって算出された人物画像の数を，対応する代表人物画像に関連づけて表示画面に表示するものである，
請求項１から５のうち，いずれか一項に記載の人物画像表示制御装置。
【請求項７】
上記代表人物画像表示制御手段は，
人物画像の数の多い順に代表人物画像を表示画面に表示するように表示装置を制御するものである，
請求項６に記載の人物画像表示制御装置。
【請求項８】
新たな人物画像が人物画像表示制御装置に与えられたかどうかを判定する判定手段をさらに備え，
上記人物画像数算出手段は，
上記判定手段により新たな人物画像が人物画像表示制御装置に与えられたと判定されたことに応じて，代表人物画像によって代表される人物画像の数を算出しなすものである，
請求項６または７に記載の人物画像表示制御装置。
【請求項９】
上記人物画像決定手段は，
異なる画像貼付領域には異なる人物画像が貼り付けられるように人物画像を決定するものである，
請求項１に記載の人物画像表示制御装置。
【請求項１０】
上記人物画像決定手段による決定ができなかった場合に，その旨を報知する報知手段，
をさらに備えた請求項１に記載の人物画像表示制御装置。
【請求項１１】
代表人物画像表示制御手段が，多数の人物画像に含まれている人物を代表する代表人物画像を，表示画面に表示するように表示装置を制御し，
領域表示制御手段が，表示対象とする領域および非表示対象とする領域を上記表示画面に表示するように表示装置を制御し，
代表人物画像選択手段が，上記代表人物画像表示制御手段の制御のもとに上記表示画面に表示されている代表人物画像のうち，表示対象とする代表人物画像を，上記表示対象とする領域にドラッグ・アンド・ドロップすることにより表示対象とする代表人物画像を選択し，上記代表人物画像表示制御手段の制御のもとに上記表示画面に表示されている代表人物画像のうち，非表示対象とする代表人物画像を，上記非表示対象とする領域にドラッグ・アンド・ドロップすることにより非表示対象とする代表人物画像を選択し，
人物画像表示制御手段が，多数の人物画像のうち，上記代表人物画像選択手段によって選択された表示対象とする代表人物画像が代表する人物を含むが，上記代表人物画像選択手段によって選択された非表示対象とする代表人物画像が代表する人物が含まれていない人物画像を，上記表示画面に表示するように表示装置を制御し，
画像貼付領域選択手段が，電子アルバムに含まれる多数の画像貼付領域のうち人物画像を貼り付ける画像貼付領域を選択し，
自動モード設定手段が，自動モードを設定し，
人物画像決定手段が，上記自動モード設定手段において自動モードが設定されたことに応じて，上記画像貼付領域選択手段によって選択された画像貼付領域に貼り付ける人物画像を，上記代表人物画像選択手段によって選択された代表人物画像が代表する人物画像の中から決定し，
撮像時系列グルーピング手段が，撮像時系列順にしたがって多数の人物画像を多数のグループに分け，
対応付け手段が，上記撮像時系列グルーピング手段によって分けられた多数のグループを撮像時が古いほど前のページとなるように電子アルバムのページと対応付け，
上記人物画像決定手段は，
上記画像貼付領域選択手段によって選択された画像貼付領域が存在するページに対応付けられているグループに含まれ，かつ上記代表人物画像選択手段によって選択された代表人物画像が代表する人物画像の中から，上記画像貼付領域選択手段によって選択された画像貼付領域に貼り付ける人物画像を決定するものである，
人物画像表示制御装置の制御方法。
【請求項１２】
人物画像表示制御装置のコンピュータを制御するコンピュータが読み取り可能なプログラムであって，
多数の人物画像に含まれている人物を代表する代表人物画像を，表示画面に表示するように表示装置を制御するステップ，
表示対象とする領域および非表示対象とする領域を上記表示画面に表示するように表示装置を制御するステップ，
上記表示画面に表示されている代表人物画像のうち，表示対象とする代表人物画像を，上記表示対象とする領域にドラッグ・アンド・ドロップすることにより表示対象とする代表人物画像を選択し，上記表示画面に表示されている代表人物画像のうち，非表示対象とする代表人物画像を，上記非表示対象とする領域にドラッグ・アンド・ドロップすることにより非表示対象とする代表人物画像を選択するステップ，
多数の人物画像のうち，選択された表示対象とする代表人物画像が代表する人物を含むが，選択された非表示対象とする代表人物画像が代表する人物が含まれていない人物画像を，上記表示画面に表示するように表示装置を制御するステップ，
電子アルバムに含まれる多数の画像貼付領域のうち人物画像を貼り付ける画像貼付領域を選択するステップ，
自動モードが設定されたことに応じて，選択された画像貼付領域に貼り付ける人物画像を，選択された代表人物画像が代表する人物画像の中から決定するステップ，
撮像時系列順にしたがって多数の人物画像を多数のグループに分けるステップ，
分けられた多数のグループを撮像時が古いほど前のページとなるように電子アルバムのページと対応付けるステップ，
選択された画像貼付領域が存在するページに対応付けられているグループに含まれ，かつ選択された代表人物画像が代表する人物画像の中から，選択された画像貼付領域に貼り付ける人物画像を決定するステップを含む処理を実行させるための人物画像表示制御装置のコンピュータが読み取り可能なプログラム。
【請求項１３】
請求項12に記載のプログラムを格納した記録媒体。
【発明の詳細な説明】
【技術分野】
【０００１】
この発明は，人物画像表示制御装置ならびにその制御方法，その制御プログラムおよびその制御プログラムを格納した記録媒体に関する。
【背景技術】
【０００２】
画像が多くなるにつれて，画像を分類する必要が生じてくる。このために，効率良く分類作業が行われ，画像管理の利便性を高くするものが考えられている（特許文献１）。
【０００３】
また，電子アルバム生成装置の中には，多数の画像の中から画像の明るさ等を考慮して電子アルバムに適した画像が自動的に見つけられ，その見つけられた画像が電子アルバムの画像貼付領域に貼り付けられる。
【先行技術文献】
【特許文献】
【０００４】
【特許文献１】特許第4220458号
【発明の概要】
【発明が解決しようとする課題】
【０００５】
しかしながら，特許文献１に記載のものでは，多数の人物画像の中から所望の人物を含む人物画像ユーザが指定することは難しい。
【０００６】
この発明は，多数の人物画像の中から所望の人物を含む人物画像をユーザが比較的簡単に指定できるようにすることを目的とする。
【課題を解決するための手段】
【０００７】
この発明による人物画像表示制御装置は，多数の人物画像に含まれている人物を代表する代表人物画像を，表示画面に表示するように表示装置を制御する代表人物画像表示制御手段，代表人物画像表示制御手段の制御のもとに表示画面に表示されている代表人物画像のうち，表示対象とする代表人物画像を選択する代表人物画像選択手段，および多数の人物画像のうち，代表人物画像選択手段によって選択された代表人物画像が代表する人物を含む人物画像を表示画面に表示するように表示装置を制御する人物画像表示制御手段を備えていることを特徴とする。
【０００８】
この発明は，人物画像表示制御装置に適した制御方法も提供している。すなわち，この方法は，代表人物画像表示制御手段が，多数の人物画像に含まれている人物を代表する代表人物画像を，表示画面に表示するように表示装置を制御し，代表人物画像選択手段が，代表人物画像表示制御手段の制御のもとに表示画面に表示されている代表人物画像のうち，表示対象とする代表人物画像を選択し，人物画像表示制御手段が，多数の人物画像のうち，代表人物画像選択手段によって選択された代表人物画像が代表する人物を含む人物画像を表示画面に表示するように表示装置を制御するものである。
【０００９】
この発明は，人物画像表示制御装置を制御するプログラムおよびそのプログラムを格納した記録媒体も提供している。
【００１０】
多数の人物画像のうち，代表人物画像選択手段によって選択された代表人物画像が代表する人物を含む人物画像を見つける人物画像検出手段をさらに備えてもよい。この場合，人物画像表示制御手段は，たとえば，人物画像検出手段によって見つけられた人物画像を表示画面に表示するように表示装置を制御するものとなろう。
【００１１】
人物画像に含まれている人物ごとに多数の人物画像を複数の人物画像グループにグループ分けする第１の人物画像グルーピング手段をさらに備えてもよい。この場合，人物画像表示制御手段は，たとえば，第１の人物画像グルーピング手段においてグループ分けされた人物画像グループのうち，代表人物画像選択手段によって選択された代表人物画像が代表する人物画像グループに含まれる人物画像を表示画面に表示するように表示装置を制御するものとなろう。
【００１２】
電子アルバムに含まれる多数の画像貼付領域のうち人物画像を貼り付ける画像貼付領域を選択する画像貼付領域選択手段，および人物画像表示制御手段の制御のもとに表示画面に表示されている人物画像のうち，画像貼付領域選択手段によって選択された画像貼付領域に貼り付ける人物画像を指定する人物画像指定手段をさらに備えてもよい。
【００１３】
人物画像指定手段によって指定された人物画像を，画像貼付領域選択手段において選択された画像貼付領域に貼り付けて電子アルバムを生成する電子アルバム生成手段をさらに備えるようにしてもよい。
【００１４】
代表人物画像表示制御手段は，たとえば，多数の人物画像に含まれている人物を代表する代表人物画像のサムネイル画像である代表サムネイル人物画像を，表示画面に表示するように表示装置を制御するものであり，代表人物画像選択手段は，たとえば，代表人物画像表示制御手段の制御のもとに表示画面に表示されている代表サムネイル人物画像のうち，一または複数の代表サムネイル人物画像を選択するものであり，人物画像検出手段は，たとえば，代表人物画像選択手段によって選択された一または複数の代表サムネイル人物画像が代表する人物画像を多数の画像の中から見つけるものである。
【００１５】
人物画像に含まれている人物ごとに多数の人物画像を複数の人物画像グループにグループ分けする第２の人物画像グルーピング手段，および第２の人物画像グルーピング手段によってグループ分けされた人物画像グループごとに，人物画像グループに含まれる人物画像の代表人物画像を決定する代表人物画像決定手段をさらに備えてもよい。この場合，代表人物画像表示制御手段は，たとえば，代表人物画像決定手段によって決定された代表人物画像を上記表示画面に表示するように表示装置を制御するものとなろう。第１の人物画像グルーピング手段と第２の人物画像グルーピング手段は，同じものでも異なるものでもよい。
【００１６】
代表人物画像が表わす人物を含む人物画像の数を算出する人物画像数算出手段をさらに備えてもよい。この場合，代表人物画像表示制御手段は，たとえば，人物画像数算出手段によって算出された人物画像の数を，対応する代表人物画像に関連づけて表示画面に表示するものとなろう。
【００１７】
代表人物画像表示制御手段は，人物画像の数の多い順に代表人物画像を表示画面に表示するように表示装置を制御するものでもよい。
【００１８】
新たな人物画像が人物画像表示制御装置に与えられたかどうかを判定する判定手段をさらに備えてもよい。この場合，人物画像数算出手段は，たとえば，判定手段により新たな人物画像が人物画像表示制御装置に与えられたと判定されたことに応じて，代表人物画像によって代表される人物画像の数を算出しなすものとなろう。
【００１９】
代表人物画像選択手段は，たとえば，代表人物画像表示制御手段の制御のもとに表示画面に表示されている代表人物画像のうち，表示対象とする代表人物画像および非表示対象とする代表人物画像を選択するものであり，人物画像検出手段は，たとえば，代表人物画像選択手段によって表示対象として選択された代表人物画像が代表する人物を含むが，非表示対象として選択された代表人物画像を代表する人物が含まれていない人物画像を，多数の画像の中から見つけるものである。
【００２０】
自動モードを設定する自動モード設定手段，および自動モード設定手段において自動モードが設定されたことに応じて，画像貼付選択手段によって選択された画像貼付領域に貼り付ける人物画像を，代表人物画像選択手段によって選択された代表人物画像が代表する人物画像の中から決定する人物画像決定手段をさらに備えてもよい。
【００２１】
撮像時系列順にしたがって多数の人物画像を多数のグループに分ける撮像時系列グルーピング手段，および撮像時系列グルーピング手段によって分けられた多数のグループを撮像時が古いほど前のページとなるように電子アルバムのページと対応付ける対応付け手段をさらに備えてもよい。この場合，人物画像決定手段は，画像貼付領域選択手段によって選択された画像貼付領域が存在するページに対応付けられているグループに含まれ，かつ代表人物画像選択手段によって選択された代表人物画像が代表する人物画像の中から，画像貼付領域選択手段によって選択された画像貼付領域に貼り付ける人物画像を決定するものとなろう。
【００２２】
人物画像決定手段は，たとえば，異なる画像貼付領域には異なる人物画像が貼り付けられるように人物画像を決定するものである。
【００２３】
人物画像決定手段による決定ができなかった場合に，その旨を報知する報知手段をさらに備えてもよい。
【発明の効果】
【００２４】
この発明によると，多数の人物画像に含まれている人物を代表する代表人物画像が表示画面に表示される。表示されている代表人物画像のうち，表示対象とする代表人物画像が選択されると，選択された代表人物画像が代表する人物を含む人物画像が表示画面に表示されるようになる。所望の人物を代表する代表画像が選択されると，その人物を含む人物画像が表示されるので，表示された人物画像の中から所望の人物画像を選択できるようになる。この発明によると，代表人物画像を用いて多数の人物画像を表わすことにより，ユーザにとって画像指示操作が容易になる。したがって，１画面に収まらない枚数，たとえば，10枚程度以上の人物画像が多数の人物画像と考えられる。また，この発明を電子アルバムに適用する場合，電子アルバムは，４，５人程度の登場人物の画像が，24ページ，36ページ，48ページなど複数のページに配置されるものであり，かつ各ページに平均４，５枚の画像が配置される。このために，数十枚から数百枚程度の人物画像が多数の人物画像（複数の人物画像）と考えられる。
【図面の簡単な説明】
【００２５】
【図１】電子アルバム生成装置の電気的構成を示すブロック図である。
【図２】電子アルバム生成装置の処理手順を示すフローチャートである。
【図３】手動モードが設定された場合の電子アルバム生成装置の処理手順を示すフローチャートである。
【図４】手動モードが設定された場合の電子アルバム生成装置の処理手順を示すフローチャートである。
【図５】代表サムネイル人物画像が生成される様子を示している。
【図６】表示画面に表示される画像の一例である。
【図７】表示画面に表示される画像の一例である。
【図８】表示画面に表示される画像の一例である。
【図９】表示画面に表示される画像の一例である。
【図１０】表示画面に表示される画像の一例である。
【図１１】表示画面に表示される画像の一例である。
【図１２】自動モードが設定された場合の電子アルバム生成装置の処理手順を示すフローチャートである。
【図１３】自動モードが設定された場合の電子アルバム生成装置の処理手順を示すフローチャートである。
【図１４】撮像日時と撮像枚数との関係を示している。
【図１５】表示画面に表示される画像の一例である。
【実施例】
【００２６】
図１は，この発明の実施例を示すもので，電子アルバム生成装置（人物画像表示制御装置，電子アルバム用人物画像決定装置）１の電気的構成を示すブロック図である。
【００２７】
電子アルバム生成装置１は，スーパー，コンビニエンス・ストアなどに配置されるが，ユーザが所有しているパーソナル・コンピュータに，後述する動作プログラムをインストールすることにより，電子アルバムを生成することもできる。
【００２８】
電子アルバム生成装置１の全体の動作は，ＣＰＵ２によって統括される。
【００２９】
電子アルバム生成装置１には，表示画面にタッチ・パネル５が形成されている表示装置６が含まれている。タッチ・パネル５をユーザがタッチしたことを示す信号は，ＣＰＵ２に入力する。
【００３０】
また，電子アルバム生成装置１には，キーボード，マウスなどを含む入力装置９，データ等を一時的に記憶するメモリ10も含まれている。さらに，電子アルバム生成装置１には，ハードディスク12，このハードディスク12にアクセスするためのハードディスク・ドライブ11およびサーバ等とインターネットを介して通信するための通信装置13も含まれている。
【００３１】
後述する動作プログラムが格納されているCD-ROM（コンパクト・ディスク-リード・オンリ・メモリ）（記録媒体）７がCD-ROMドライブ８に装填されると，CD-ROM７に格納されている動作プログラムが読み取られ，読み取られた動作プログラムが電子アルバム生成装置１にインストールされる。もっとも，通信装置13によって動作プログラムをダウンロードし，ダウンロードした動作プログラムが電子アルバム生成装置１にインストールされるようにしてもよい。
【００３２】
電子アルバムに貼り付ける（合成する）多数の人物画像（人物が含まれている画像）を表わす人物画像ファイルが格納されているメモリ・カード３がメモリ・カード・リーダ４に装填されると，メモリ・カード・リーダ４によってメモリ・カード３から多数の画像ファイルが読み取られる。読み取られた多数の画像ファイルは，メモリ10に一時的に記憶される。
【００３３】
図２は，電子アルバム生成装置１の処理手順の一部を示すフローチャートである。
【００３４】
多数の人物画像ファイル（多数の人物画像ファイルとは，一般的には１画面に収まりきらない，数十枚以上の人物画像であり，電子アルバムを生成するのに必要と考えられる枚数以上の人物画像を表わすファイルである。）が格納されているメモリ・カード３がユーザによってメモリ・カード・リーダ４に装填される。すると，メモリ・カード３に格納されている多数の人物画像ファイルがメモリ・カード・リーダ４によって読み取られ，メモリ10に一時的に記憶される（ステップ21）。図５に示すように，画像グループＧに含まれる多数の人物画像ＰＡ，ＰＢ，ＰＣ，ＰＤを表わす多数の画像ファイルがメモリ10に記憶されることとなる。この実施例において，ＰＡ，ＰＢ，ＰＣ，およびＰＤは，それぞれ，「Ａさん」，「Ｂさん」，「Ｃさん」，および「Ｄさん」という人物が含まれている人物画像を表わしている。それぞれの人物画像ＰＡ，ＰＢ，ＰＣおよびＰＤは，それぞれの人物が単独で写っているものでもよいし，それぞれの人物以外の人物が写っているものでもよい。
【００３５】
多数の人物画像ファイルによって表わされる多数の人物画像のそれぞれについて，ＣＰＵ２によって人物認識処理が行われ，人物判定が行われる（ステップ22）。これらの処理によって，それぞれの人物画像に含まれる人物が認識され，同一人物か異なる人物かが分る。すると，人物画像が，人物ごとにグループ分けされる（ステップ23）。
【００３６】
図５を参照して，グループ分けされることにより，「Ａさん」が含まれている人物画像ＰＡの人物画像グループＧＡ，「Ｂさん」が含まれている人物画像ＰＢの人物画像グループＧＢ，「Ｃさん」が含まれている人物画像ＰＣの人物画像グループＧＣ，「Ｄさん」が含まれている人物画像ＧＤの人物画像グループＧＤにグループ分けされる。（第１の人物画像グルーピング手段，第２の人物画像グルーピング手段，第３の人物画像グルーピング手段）
【００３７】
人物画像が人物ごとにグループ分けされると，それぞれの人物画像グループに含まれている人物画像の数がカウントされる（ステップ24）。たとえば，人物画像グループＧＡには「Ａさん」が含まれている人物画像が243あり，人物画像グループＧＢには「Ｂさん」が含まれている人物画像が211あり，人物画像グループＧＣには「Ｃさん」が含まれている人物画像が167あり，人物画像グループＧＤには「Ｄさん」が含まれている人物画像が87あり，というように，人物画像数がカウントされる（人物画像数算出手段）。
【００３８】
つづいて，人物画像グループごとに，それぞれの人物画像グループに含まれる人物画像の人物を代表する代表サムネイル人物画像が生成される（ステップ25）。図５に示すように，「Ａさん」の人物画像グループＧＡ，「Ｂさん」の人物画像グループＧＢ，「Ｃさん」の人物画像グループＧＣ，および「Ｄさん」の人物画像グループＧＤについては，それぞれ代表サムネイル人物画像ＲＡ，ＲＢ，ＲＣ，およびＲＤが生成される。代表サムネイル人物画像は，それぞれの人物画像グループに含まれる人物画像のうち，単独の人物が写っている人物画像のサムネイル画像となる（代表人物画像決定手段）。もっとも，必ずしもサムネイル画像でなくともよく，人物画像そのものでもよい。また，人物画像の中から顔画像を検出し，検出された顔画像またはそのサムネイル顔画像を代表サムネイル人物画像（代表人物画像）としてもよい。
【００３９】
すると，表示装置６の表示画面には，手動モードと自動モードとのいずれかを選択するモード設定画面が表示される（ステップ26）（手動モード設定手段，自動モード設定手段）。手動モードは，電子アルバムに貼り付ける人物画像をユーザが確認しながら選択するモードである。自動モードは，電子アルバムに貼り付ける人物画像の人物についてはユーザが決定するが，具体的に電子アルバムに貼り付ける人物画像は電子アルバム生成装置１のＣＰＵ１が決定するものである。まず，手動モードが設定されたものとする。
【００４０】
図３および図４は，手動モードにおける電子アルバム生成装置１の処理手順を示すフローチャートである。図６から図10は，表示装置６の表示画面に表示される画像の一例である。
【００４１】
ユーザによって手動モードが設定されると，表示装置６の表示画面には，図６に示すレイアウト選択画面が表示される（ステップ31）。
【００４２】
図６を参照して，表示画面50に表示されるレイアウト選択画面のほぼ全体にはレイアウト表示領域52が形成されている。このレイアウト表示領域52には，複数のレイアウト画像71，72および73が表示されている。これらのレイアウト画像71，72，73は，電子アルバムを構成するページのレイアウトの一例を示すものである。レイアウト表示領域52の右下には「レイアウト終了」の文字が表示されているレイアウト終了指令領域74が形成されている。レイアウト選択画面の左側にはページ画像表示領域51が形成されている。このページ画像表示領域51には，選択されたレイアウトをもつ電子アルバムのページ画像が表示される。第１ページのページ画像61および第２ページのページ画像62が表示されている。ページ画像62の下には，ページ予定領域63が破線で示されている。これらのページ画像61，62の下には「ページ追加」の文字が表示されている追加指令領域64が形成されている。
【００４３】
ページ追加指令領域64が，マウスによってクリック（またタッチ・パネル５をタッチ）されると，ページ画像表示領域51にページ予定領域がページ順に表示される。たとえば，最初は第１ページ用のページ予定領域がページ画像表示領域51に表示される。所望のレイアウト画像が，ページ予定領域にドラッグ・アンド・ドロップされると，そのページ予定領域が示すページのレイアウトとなる（レイアウトの選択：ステップ32）。電子アルバムのすべてのページのレイアウト選択が終了すると，ユーザによってレイアウト終了指令領域74がクリックされる。するとレイアウト選択処理が終了となる（ステップ33）。
【００４４】
すると，表示画面50にはフレーム指定画面が表示される（ステップ34）（画像貼付領域選択手段）。
【００４５】
図７は，フレーム指定画面の一例である。
【００４６】
フレーム指定画面の左側には，電子アルバムを構成する各ページのレイアウト画像（図７ではレイアウト画像71）が表示される。レイアウト画像の下には，「前ページへ」の文字が付されている前ページ表示指令領域75および「次ページへ」の文字が付されている次ページ表示指令領域76が形成されている。前ページ表示指令領域75がユーザによってクリックされると，表示されているレイアウト画像の前ページのレイアウト画像が表示画面50に表示される。次ページ表示指令領域76がユーザによってクリックされると，表示されているレイアウト画像の次ページのレイアウト画像が表示画面50に表示される。レイアウト画像71の中には人物画像が貼り付けられるフレーム（画像貼付領域）81，82および83が含まれている。
【００４７】
フレーム指定画面の右側の上部には，代表サムネイル人物画像表示領域77が形成されている（代表人物画像表示制御手段）。この代表サムネイル人物画像表示領域77に，上述のようにして生成（決定）された（複数の）代表サムネイル人物画像ＲＡ，ＲＢ，ＲＣおよびＲＤが表示されている。また，これらの代表サムネイル人物画像ＲＡ，ＲＢ，ＲＣおよびＲＤのそれぞれの下に関連づけられて，代表サムネイル人物画像ＲＡ，ＲＢ，ＲＣおよびＲＤが代表する人物を含む人物画像の数が表示されている。代表サムネイル人物画像ＲＡ，ＲＢ，ＲＣおよびＲＤは，人物画像の数の多い順に表示画面50に表示されている。
【００４８】
フレーム指定画面の右側の下部には，表示対象となる人物画像を表示させる指令を電子アルバム生成装置１に与える表示対象人物画像指令領域78が形成されている（代表人物画像選択手段）。この表示対象画像指令領域78には，電子アルバムに貼り付ける人物画像の条件が表示されている。図７に示す例では，領域78ａと領域78ｂとがアンド記号で結ばれており，かつ領域78ｂと領域78ｃとがマイナス記号で結ばれている演算式となっている。これらの領域78ａ，78ｂ，78ｃのそれぞれの領域に代表サムネイル人物画像表示領域77に表示されている代表サムネイル人物画像がドラッグ・アンド・ドロップされると（人物画像指定手段），演算式に該当する人物画像がＣＰＵ２によって見つけられ，その数が表示される。図７に示す例では，領域78ａには代表サムネイル人物画像ＲＡがドラッグ・アンド・ドロップされ，領域78ｂには代表サムネイル人物画像ＲＤがドラッグ・アンド・ドロップされ，領域78ｃには代表サムネイル人物画像ＲＢがドラッグ・アンド・ドロップされている。これより，代表サムネイル人物画像ＲＡで代表される人物「Ａさん」および代表サムネイル人物画像ＲＤで代表される人物「Ｄさん」の両方を含むが，代表サムネイル人物画像ＲＢで代表される人物「Ｂさん」が含まれていない人物画像が見つけられることとなる（人物画像検出手段）。その見つけられた結果の人物画像の数が演算式につづいて表示されている（この例では18個の画像）。フレーム指定画面の右下には「一覧表示」の文字が付されている一覧表示指令領域79Ａが形成されている。一覧表示指令領域79Ａがユーザによってクリックされると，演算式にもとづいて見つけられた人物画像が表示画面50に表示されるようになる（人物画像表示制御手段）。手動モードのときには，一覧表示指令領域79Ａが表示されるが後述する自動モードのときには，一覧表示指令領域79Ａが表示されずに「自動決定」の文字がされている自動決定指令領域79Ｂが表示される。
【００４９】
図８は，フレーム指定画面の他の一例である。図８において，図７に示すものと同一物については同一符号を付して説明を省略する。
【００５０】
フレーム指定画面の右側下部には，表示対象人物画像指令領域88が形成されている。この領域88内には，領域91から94が形成されている。領域91および92につづいて「を表示対象とする」の文字が付されており，領域93および94につづいて「を非表示対象とする」の文字が付されている。これらの領域91から94に，代表サムネイル人物画像がドラッグ・アンド・ドロップすることにより，表示対象人物画像指令領域88の条件に合致した人物画像が表示画面50に表示されるようになる。たとえば，領域91，92，93および94のそれぞれに代表サムネイル人物像ＲＡ，ＲＢ，ＲＣおよびＲＤがドラッグ・アンド・ドロップされたとすると，代表サムネイル人物画像ＲＡで代表される「Ａさん」および代表サムネイル人物画像ＲＢで代表される「Ｂさん」を含むが，代表サムネイル人物画像ＲＣで代表される「Ｃさん」および代表サムネイル人物画像ＲＤで代表される「Ｄさん」が含まれない人物画像がＣＰＵ２によって見つけられ，一覧表示指令領域79Ａがクリックされることにより，見つけられた人物画像が表示画面50に表示されるようになる。
【００５１】
図９は，フレーム指定画面の他の一例である。図９において，図７に示すものと同一物については同一符号を付して説明を省略する。
【００５２】
図９に示すフレーム指定画面には，表示対象人物画像指令領域が形成されていない。代表サムネイル人物画像表示領域77に含まれている代表サムネイル人物画像ＲＡ，ＲＢ，ＲＣおよびＲＤのうち，所望の代表サムネイル人物画像が，レイアウト画像71の所望のフレームにドラッグ・アンド・ドロップされる。一覧表示指令領域70がクリックされると，ドラッグ・アンド・ドロップされた代表サムネイル人物画像が代表する人物の人物画像が一覧表示される。ドラッグ・アンド・ドロップされる代表サムネイル人物画像は一つに限らず，複数でもよい。複数の場合には，それらの複数の代表サムネイル人物画像が代表する複数の人物がいずれも写っている人物画像が見つけられて一覧で表示されることとなる。
【００５３】
また，代表サムネイル人物画像は必ずしもドラッグ・アンド・ドロップされなくともよい。所望のフレームがユーザによって指定された後，代表サムネイル人物画像表示領域77に表示されている代表サムネイル人物画像のうち所望の一または複数の代表サムネイル人物画像が選択（クリック）されるようにしてもよい。その場合も，一覧表示指令領域79Ａがクリックされることにより，選択された代表サムネイル人物画像が代表する人物を含む人物画像が見つけられ，表示画面50に表示される。
【００５４】
フレーム指定画面が表示されると，ユーザによって所望のレイアウト画像が表示画面50
に表示させられる。表示されているレイアウト画像に含まれるフレーム上にカーソル80が動かされ，クリックされることにより，人物画像を貼り付ける対象となるフレームが指定されることとなる。図７または図８に示す例では，レイアウト画像71のフレーム81上にカーソル80が位置決めされているから，クリックされると人物画像はＣＰＵ２によってフレーム81に貼り付けられるようになる。また，上述のように，表示対象人物画像指令領域78，88等に所望の代表サムネイル人物画像がユーザによってドラッグ・アンド・ドロップされる（ステップ34）。一覧表示指令領域39がクリックされると（ステップ36でＹＥＳ），表示対象人物画像例領域78，88等で指定された条件に合致した人物画像がＣＰＵ２によって見つけられ（ステップ37），見つけられた人物画像が表示画面50に表示される（ステップ38）。
【００５５】
図10を参照して，一覧表示指令領域39がクリックされると，表示画面50には，人物画像一覧表示領域100が現れる。人物画像一覧表示領域100には，表示対象人物画像指令領域78，88等で指定された条件に合致した人物画像Ｐが表示されている。人物画像一覧表示領域100の上部にはスライド・バー101が形成されている。人物画像一覧表示領域100に人物画像Ｐのすべてを表示できない場合には，スライド・バー101がスライドさせられることにより，新たな人物画像が表示領域100に表示されるようになる。
【００５６】
ユーザは，人物画像一覧表示領域100に表示されている人物画像Ｐの中から所望の人物画像Ｐを，指定したフレーム（フレーム81）上にドラッグ・アンド・ドロップする（ステップ39）。すると，図11に示すように，ドラッグ・アンド・ドロップされた人物画像Ｐが，指定したフレーム81に貼り付けられる（ステップ40）。
【００５７】
多数の人物画像の中から所望の人物を含む人物画像をユーザが比較的簡単に指定できるようになる。
【００５８】
表示画面の右下には「戻る」の文字が付されている戻る指令領域85および「完成」の文字が付されている完成指令領域86が形成されている。戻る指令領域85がユーザによってクリックされると，一つ前の画面に戻る。完成指令領域86がユーザによってクリックされると，電子アルバムが完成する（電子アルバム生成手段）。
【００５９】
電子アルバム生成装置に新たなメモリ・カードが装填され，新たに人物画像ファイルがメモリ・カードから読み取られると（ステップ41でＹＥＳ）（判定手段），新たに読み取られた人物画像ファイルによって表わされる人物画像の顔認識，人物判定が行われる（ステップ42）。判定された人物が上述したようにグループ分けされた人物画像グループのいずれかのグループに属するように分類される（ステップ43）。この結果，代表サムネイル人物画像の下に表示されている人物画像数がＣＰＵ２によって算出しなおされ，更新される（ステップ44）。
【００６０】
上述の実施例では，代表人物画像が代表する人物を含む人物画像が見つけられているが，図５を参照して説明したように，人物画像グループＧＡからＧＤが生成されているので，これらの人物画像グループＧＡからＧＤを利用して，選択された代表人物画像が代表する人物を含む人物画像が表示されるようにしてもよい。たとえば，図７に示すように代表人物画像ＲＡからＲＤが表示されている場合に，代表人物画像ＲＡが選択され，かつ一覧表示領域79Ａがクリックされると，人物画像グループＧＡに含まれている人物画像が表示画面50の人物画像一覧表示領域100に表示されるようになる。代表人物画像ＲＡおよびＲＢが選択され，かつ一覧表示領域79Ａがクリックされると，人物画像グループＧＡに含まれている人物画像と人物画像グループＧＢに含まれている人物画像とのアンド処理が行われ，その結果として得られる人物画像が人物画像一覧表示領域100に表示されるようになる。その他の代表人物画像が選択された場合，それらの選択の組み合わせが異なる場合も同様にして，人物画像グループＧＡからＧＤを利用して，選択された代表人物画像が代表する人物画像を一覧で表示できるようになる。
【００６１】
図12から図15は，自動モードが設定された場合の処理についてのものである。
【００６２】
図12および図13は，自動モードが設定された場合の電子アルバム生成装置１の処理手順を示すフローチャートである。図３または図４に示す処理と同一の処理については同一符号を付して説明を省略する。
【００６３】
自動モードが設定された場合も手動モードが設定された場合と同様に，レイアウト選択画面（図６）が表示され，レイアウト選択が行われる（ステップ31から33）。また，図７から図９に示したようなフレーム選択画面が表示画面50に表示され，レイアウト画像に含まれるフレーム指定等が行われる（ステップ34，35）。
【００６４】
自動モードが設定された場合には，一覧表示指令領域79Ａは表示されずに自動決定領域79Ｂが表示される（図７から図９参照）。ユーザによって自動決定領域79Ｂがクリックされると，撮像時系列にしたがって多数の人物画像がグループ分けさせられる（ステップ13）。
【００６５】
図14は，人物画像が撮像時系列にしたがってグループ分けされた様子を示している。
【００６６】
図14において横軸は撮像日時を示し，縦軸は撮像枚数を示している。
【００６７】
電子アルバムのページ数と同じ数のグループとなるように撮像時系列にしたがって人物画像がグループ分けされる（ステップ112）。電子アルバムのページ数は，上述のようにレイアウトを選択する処理において決定される。電子アルバムの頁数があらかじめ決定されている場合にはそのページ数となるように撮像時系列にしたがって人物画像がＣＰＵ２によってグループ分けされる（撮像時系列グルーピング手段）。
【００６８】
電子アルバムのページ数は５ページであったものとする。すると，そのページ数に対応するように，撮像時系列にしたがって人物画像が５つのグループＧ１からＧ５に分けられる。撮像日時は，ｔ１，ｔ２，ｔ３，ｔ４およびｔ５の順に新しくなっている。撮像時が古いほど前のページとなるようにグループと電子アルバムのページとが対応付けられている（対応付け手段）。これらのグループＧ１からＧ５のそれぞれには，異なる人物の撮像画像が含まれている。たとえば，グループＧ１であれば，人物画像ＰＡ，ＰＢおよびＰＣが含まれていることを示している。他のグループＧ２からＧ５についても同様である。
【００６９】
撮像時系列にしたがったグループに分けられると，撮像グループに対応するページのフレームに，指定された代表画像が表わす人物の人物画像が，貼り付けられる（ステップ41）。たとえば，図７に示す状態で自動決定領域79Ｂがクリックされたものとする。また，レイアウト画像71は電子アルバムの３ページ目のものであったとする。電子アルバムの３ページ目は，図14に示すグループＧ３に対応するから，グループＧ３に含まれている人物画像のうち，表示対象人物画像指令領域78で指定された条件に合致する人物画像がＣＰＵ２によって自動的に見つけられる。人物画像に含まれている人物の顔が大きいほど評価を高くし，ぶれたりぼけたりしている人物画像については評価を低くし，評価の最も高い人物画像を見つけることとなる（人物画像決定手段）。見つけられた人物画像が指定されたフレーム81に貼り付けられることとなる（ステップ113）。その他のフレーム82，83，他のページのフレームについても同様である。人物画像がフレームに貼り付けられると，代表サムネイル人物画像の下に表示されている画像数のうち，貼り付けられた人物画像に対応する画像数がデクレメントされる。ＣＰＵ２は，あるフレームに貼り付けられた人物画像と同じ人物画像が異なるフレームに貼り付けられないように人物画像を決定するのはいうまでもない。また，指定された条件に対応する人物画像が無い場合には，他の人物画像を貼り付け，ＣＰＵ２によって，「該当する人物がいませんでした」という警告表示が行われるようにしてもよい。（報知手段）
【００７０】
このようにしてＣＰＵ２によって自動的に決定された人物画像がフレームに貼り付けられ，ＣＰＵ２によって図15に示すように電子アルバムが生成される。
【符号の説明】
【００７１】
１  電子アルバム生成装置（人物画像表示制御装置，電子アルバム用人物画像決定装置）
２  ＣＰＵ
６  表示装置
７  ＣＤ−ＲＯＭ（プログラムを格納した記録媒体）
【図１】
0005898158.tif 000002
【図２】
0005898158.tif 000003
【図３】
0005898158.tif 000004
【図４】
0005898158.tif 000005
【図５】
0005898158.tif 000006
【図６】
0005898158.tif 000007
【図７】
0005898158.tif 000008
【図８】
0005898158.tif 000009
【図９】
0005898158.tif 000010
【図１０】
0005898158.tif 000011
【図１１】
0005898158.tif 000012
【図１２】
0005898158.tif 000013
【図１３】
0005898158.tif 000014
【図１４】
0005898158.tif 000015
【図１５】
0005898158.tif 000016